【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
発電部の発電量に基づく電力供給量を取得する制御部と、
前記発電部に対応する第１のマークと、蓄電部に対応する第２のマークとを表示部に表示し、前記電力供給量に応じて、前記第１のマークと前記第２のマークとの間の経路上の表示を変化させる表示制御部と
を有する表示制御装置。
【請求項２】
前記経路上の表示は、前記第１のマークから前記第２のマークに向かうように移動する表示単位を含み、
前記表示制御部は、前記電力供給量が大きくなるにつれて、前記表示単位の移動速度が大きくなるように表示する請求項１に記載の表示制御装置。
【請求項３】
前記表示制御部は、
複数の発電部のそれぞれに対応する複数の第１のマークを表示し、
それぞれの前記第１のマークから前記第２のマークに向かうように移動する表示単位を区別可能に表示する請求項２に記載の表示制御装置。
【請求項４】
前記表示制御部は、前記表示単位の色および形状のうち、少なくとも一方を変更することにより、前記表示単位を区別可能に表示する請求項３に記載の表示制御装置。
【請求項５】
前記経路上の表示は、前記第１のマークから延在し、幅を有する表示を含み、
前記表示制御部は、前記電力供給量が大きくなるにつれて、前記表示の幅が大きくなるように表示する請求項１に記載の表示制御装置。
【請求項６】
前記表示制御部は、前記電力供給量に応じて前記第１のマークの表示態様を変化させる請求項１乃至５のいずれかに記載の表示制御装置。
【請求項７】
前記発電部は、周囲に存在するエネルギーに基づいて発電する請求項１乃至６のいずれかに記載の表示制御装置。
【請求項８】
前記表示制御部は、系統電力に対応する第３のマークを前記表示部に表示する請求項１乃至７のいずれかに記載の表示制御装置。
【請求項９】
前記制御部は、前記系統電力から供給される電力の消費量を示す電力消費量を取得し、
前記表示制御部は、前記電力消費量に応じて、前記第２のマークと前記第３のマークとの間の経路上の表示を変化させる請求項８に記載の表示制御装置。
【請求項１０】
前記表示制御部は、前記電力供給量を示す第４のマークと前記電力消費量を示す第５のマークとを区別可能に、前記表示部に表示する請求項９に記載の表示制御装置。
【請求項１１】
前記表示制御部は、
前記第４のマークおよび前記第５のマークを、時間軸の上下にそれぞれ表示し、
前記第４のマークおよび前記第５のマークが、時間の経過にともなって前記時間軸上を移動するように表示する請求項１０に記載の表示制御装置。
【請求項１２】
前記表示制御部は、所定期間における前記電力供給量を積算した情報を示す第６のマークと、該所定期間における前記電力消費量を積算した情報を示す第７のマークとを、前記時間軸の端部付近に表示する請求項１１に記載の表示制御装置。
【請求項１３】
前記表示制御部は、
前記時間軸上を移動する前記第４のマークが前記第６のマークに吸収されるように表示し、
前記時間軸上を移動する前記第５のマークが前記第７のマークに吸収されるように表示する請求項１２に記載の表示制御装置。
【請求項１４】
前記表示制御部は、
前記第１のマークから時間軸の端部付近に向けてビーム状の表示を行うことにより前記第４のマークを形成し、
前記第３のマークから時間軸の端部付近に向けてビーム状の表示を行うことにより前記第５のマークを形成する請求項１０乃至１３のいずれかに記載の表示制御装置。
【請求項１５】
前記表示制御部は、
負荷に対応する第８のマークを表示し、
該負荷の消費電力に応じて、前記第２のマークと前記第８のマークとの間の経路上の表示を変化させる請求項１に記載の表示制御装置。
【請求項１６】
発電部の発電量に基づく電力供給量を取得し、
前記発電部に対応する第１のマークと、蓄電部に対応する第２のマークとを表示部に表示し、前記電力供給量に応じて、前記第１のマークと前記第２のマークとの間の経路上の表示を変化させる
表示制御装置における表示制御方法。
【請求項１７】
発電部の発電量に基づく電力供給量を取得し、
前記発電部に対応する第１のマークと、蓄電部に対応する第２のマークとを表示部に表示し、前記電力供給量に応じて、前記第１のマークと前記第２のマークとの間の経路上の表示を変化させる
表示制御装置における表示制御方法を、コンピュータに実行させるプログラム。
【請求項１８】
発電部の発電量に基づく電力供給量を取得する取得部と、
前記発電部に対応する第１のマークと、蓄電部に対応する第２のマークとを表示部に表示し、前記取得される電力供給量に応じて、前記第１のマークと前記第２のマークとの間の経路上の表示を変化させる表示制御部と
を有する携帯端末。
【手続補正２】
【補正対象書類名】明細書
【補正対象項目名】０００７
【補正方法】変更
【補正の内容】
【０００７】
本開示は、例えば、
発電部の発電量に基づく電力供給量を取得し、
発電部に対応する第１のマークと、蓄電部に対応する第２のマークとを表示部に表示し、電力供給量に応じて、第１のマークと第２のマークとの間の経路上の表示を変化させる
表示制御装置における表示制御方法である。
【手続補正３】
【補正対象書類名】明細書
【補正対象項目名】０００８
【補正方法】変更
【補正の内容】
【０００８】
本開示は、例えば、
発電部の発電量に基づく電力供給量を取得し、
発電部に対応する第１のマークと、蓄電部に対応する第２のマークとを表示部に表示し、電力供給量に応じて、第１のマークと第２のマークとの間の経路上の表示を変化させる
表示制御装置における表示制御方法を、コンピュータに実行させるプログラムである。
【手続補正４】
【補正対象書類名】明細書
【補正対象項目名】００６３
【補正方法】変更
【補正の内容】
【００６３】
系統電力に対応する第３のマークが表示される。第３のマークの一例として、グリッドマーク１３４が表示される。グリッドマーク１３４は、例えば、コンセントの形状を模したマーク１３４ａおよび数値が表示される表示領域１３４ｂを含む。表示領域１３４ｂには、電力消費量データＤ３によって示される数値が表示される。なお、後述する接続路１３８に接続されるようにして、表示領域１３０ｂに表示される数値と、表示領域１３１ｂに表示される数値と、表示領域１３４ｂに表示される数値との合計値が表示領域１３２に表示される。
【手続補正５】
【補正対象書類名】明細書
【補正対象項目名】００９６
【補正方法】変更
【補正の内容】
【００９６】
表示制御装置１００のコントローラ１０１は、コンセントに接続される電子機器を認識する機能を有する。例えば、電子機器が有する電源プラグに、電子機器の種別を示すＩＤ(Identification)が記憶される。電子機器の電源プラグがコンセントに対して接続されると、電源プラグに記憶されるＩＤが電力線に重畳されて、コントローラ１０１に送信される。コントローラ１０１は、送信されるＩＤに基づいて、電子機器を判別する。コントローラ１０１は、判別した電子機器に関する情報を表示制御部１０５に供給する。表示制御部１０５は、コントローラ１０１から供給される電子機器に関する情報に基づいた表示を行うことができる。
【手続補正６】
【補正対象書類名】明細書
【補正対象項目名】０１０７
【補正方法】変更
【補正の内容】
【０１０７】
通信部３０４は、他の装置（例えば、表示制御装置１００）と通信を行う。例えば、通信部３０４を介して、携帯端末３００から表示制御装置１００に要求信号Ｓ６が送信される。要求信号Ｓ６に応じて、データＤ６が表示制御装置１００から送信され、データＤ６が通信部３０４により受信される。通信部３０４は、データＤ６を表示制御部３０２に供給する。
【手続補正７】
【補正対象書類名】明細書
【補正対象項目名】０１３１
【補正方法】変更
【補正の内容】
【０１３１】
本開示は、以下の構成をとることもできる。
（１）
発電部の発電量に基づく電力供給量を取得する制御部と、
前記発電部に対応する第１のマークと、蓄電部に対応する第２のマークとを表示部に表示し、前記電力供給量に応じて、前記第１のマークと前記第２のマークとの間の経路上の表示を変化させる表示制御部と
を有する表示制御装置。
（２）
前記経路上の表示は、前記第１のマークから前記第２のマークに向かうように移動する表示単位を含み、
前記表示制御部は、前記電力供給量が大きくなるにつれて、前記表示単位の移動速度が大きくなるように表示する（１）に記載の表示制御装置。
（３）
前記表示制御部は、
複数の発電部のそれぞれに対応する複数の第１のマークを表示し、
それぞれの前記第１のマークから前記第２のマークに向かうように移動する表示単位を区別可能に表示する（２）に記載の表示制御装置。
（４）
前記表示制御部は、前記表示単位の色および形状のうち、少なくとも一方を変更することにより、前記表示単位を区別可能に表示する（３）に記載の表示制御装置。
（５）
前記経路上の表示は、前記第１のマークから延在し、幅を有する表示を含み、
前記表示制御部は、前記電力供給量が大きくなるにつれて、前記表示の幅が大きくなるように表示する（１）に記載の表示制御装置。
（６）
前記表示制御部は、前記電力供給量に応じて前記第１のマークの表示態様を変化させる（１）乃至（５）のいずれかに記載の表示制御装置。
（７）
前記発電部は、周囲に存在するエネルギーに基づいて発電する（１）乃至（６）のいずれかに記載の表示制御装置。
（８）
前記表示制御部は、系統電力に対応する第３のマークを前記表示部に表示する（１）乃至（７）のいずれかに記載の表示制御装置。
（９）
前記制御部は、前記系統電力から供給される電力の消費量を示す電力消費量を取得し、
前記表示制御部は、前記電力消費量に応じて、前記第２のマークと前記第３のマークとの間の経路上の表示を変化させる（８）に記載の表示制御装置。
（１０）
前記表示制御部は、前記電力供給量を示す第４のマークと前記電力消費量を示す第５のマークとを区別可能に、前記表示部に表示する（９）に記載の表示制御装置。
（１１）
前記表示制御部は、
前記第４のマークおよび前記第５のマークを、時間軸の上下にそれぞれ表示し、
前記第４のマークおよび前記第５のマークが、時間の経過にともなって前記時間軸上を移動するように表示する（１０）に記載の表示制御装置。
（１２）
前記表示制御部は、所定期間における前記電力供給量を積算した情報を示す第６のマークと、該所定期間における前記電力消費量を積算した情報を示す第７のマークとを、前記時間軸の端部に表示する（１１）に記載の表示制御装置。
（１３）
前記表示制御部は、
前記時間軸上を移動する前記第４のマークが前記第６のマークに吸収されるように表示し、
前記時間軸上を移動する前記第５のマークが前記第７のマークに吸収されるように表示する（１２）に記載の表示制御装置。
（１４）
前記表示制御部は、
前記第１のマークから時間軸の端部付近に向けてビーム状の表示を行うことにより前記第４のマークを形成し、
前記第３のマークから時間軸の端部付近に向けてビーム状の表示を行うことにより前記第５のマークを形成する（１０）乃至（１３）のいずれかに記載の表示制御装置。
（１５）
前記表示制御部は、
負荷に対応する第８のマークを表示し、
該負荷の消費電力に応じて、前記第２のマークと前記第８のマークとの間の経路上の表示を変化させる（１）に記載の表示制御装置。
（１６）
発電部の発電量に基づく電力供給量を取得し、
前記発電部に対応する第１のマークと、蓄電部に対応する第２のマークとを表示部に表示し、前記制御部から供給される電力供給量に応じて、前記第１のマークと前記第２のマークとの間の経路上の表示を変化させる
表示制御装置における表示制御方法。
（１７）
発電部の発電量に基づく電力供給量を取得し、
前記発電部に対応する第１のマークと、蓄電部に対応する第２のマークとを表示部に表示し、前記制御部から供給される電力供給量に応じて、前記第１のマークと前記第２のマークとの間の経路上の表示を変化させる
表示制御装置における表示制御方法を、コンピュータに実行させるプログラム。
（１８）
発電部の発電量に基づく電力供給量を取得する取得部と、
前記発電部に対応する第１のマークと、蓄電部に対応する第２のマークとを表示部に表示し、前記取得される電力供給量に応じて、前記第１のマークと前記第２のマークとの間の経路上の表示を変化させる表示制御部と
を有する携帯端末。
【手続補正８】
【補正対象書類名】図面
【補正対象項目名】図９
【補正方法】変更
【補正の内容】
【図９】
2013233034.tif 000001